(57)【特許請求の範囲】
【請求項１】
撹拌翼と回転軸とからなるミキシングシャフトを回転駆動部に係脱自在に係着する構造の撹拌装置において、前記ミキシングシャフトの根部に側方へ向けて突出する係止突起を突設し、前記回転駆動部に、前記ミキシングシャフトの根部が嵌入可能な軸穴と前記係止突起が挿通移動可能な軸方向スリットとを有するカップリング受け部を形成すると共に、該カップリング受け部の該軸方向のスリットの側方部に前記係止突起が移行係止可能な係止凹部を凹設し、該係止突起の前記係止凹部からの係脱を規制する係脱規制手段を具備し、
前記係脱規制手段は、前記カップリング受け部の外周部に摺動可能に嵌挿するスライドカバーと、該スライドカバーの内周部に設けられ前記軸方向スリットに係合する移動可能な規制突起とからなるミキシングシャフトの着脱カップリング。
【請求項２】
前記係止凹部は前記軸方向スリットにＴ字状に交差する横方向スリットからなる請求項１に記載のミキシングシャフトの着脱カップリング。
【請求項３】
前記ミキシングシャフトを前記カップリング受け部に嵌入させるときは、前記係止突起が前記軸方向スリット内を上方向へ移動して、該軸方向スリット内にある前記規制突起を前記スライドカバーと共に上方へ押し上げるように作動し、該係止突起が前記軸方向スリットと直交する係止凹部に到って該係止突起が該係止凹部内に移行した後に前記規制突起が前記軸方向スリット内を降下して、前記係止突起が前記係止凹部から逸脱するのを阻止するように形成した請求項１又は請求項２に記載のミキシングシャフトの着脱カップリング。
【請求項４】
前記カップリング受け部の後方部の外径を該カップリング受け部の前端部の外径よりも細くして該カップリング受け部を段違い部を有する２段構造に形成すると共に、該カップリング受け部の外周部に摺動可能に設けた前記スライドカバー内径部を該カップリング受け部の外径に対応する段違い部を有する２段構造に形成して、前記カップリング受け部の段違い部と前記スライドカバーの段違い部とが当接して前記スライドカバーが前記カップリング受け部から抜け出すのを防止するストッパーとなるように形成した請求項１又は請求項３に記載のミキシングシャフトの着脱カップリング。
【発明の詳細な説明】
【技術分野】
【０００１】
本発明は、液体原料等の撹拌や混合を行なうための撹拌装置、特に可搬形撹拌機の如き小形の撹拌装置に関する。
【背景技術】
【０００２】
撹拌装置は、回転軸の先端部に撹拌翼（インペラ）を固定したミキシングシャフトを撹拌液中に没入させ、該ミキシングシャフトを回転駆動して撹拌を行なっている。
【０００３】
然して撹拌目的によっては、内容物に応じて日々ミキシングシャフトを交換する必要があり、このため、頻繁にミキシングシャフトを撹拌装置の回転駆動部に取り付けたり取り外したりする作業を行なう必要があった。
【０００４】
従来、可搬形撹拌機の回転駆動部にミキシングシャフトを取り付ける場合は、図７に示す如く、ミキシングシャフトの回転軸ａを回転駆動部の円筒状に形成されたカップリングｂに嵌入し、これをボルトｃにて固定していた。
【０００５】
尚、工作機械にワークをチャックするための装置として、ワークをチャック本体に爪又はコレットで締め付けて固定する方法が知られている。
【０００６】
例えば内径コレットチャックとして、径方向に拡大縮小可能に形成され、先端部に被保持物を保持するコレットと、コレットの外周に嵌合される規制体とを備えた例がある（特許文献１参照。）。
【先行技術文献】
【特許文献】
【０００７】
【特許文献１】特開２００４−２５３４９号公報
【発明の概要】
【発明が解決しようとする課題】
【０００８】
前記ミキシングシャフトの回転軸ａをカップリングｂの穴に挿通してボルトｃで固定する従来の方法は、ボルトの取付け不良によるミキシングシャフトの脱落事故が生じたり、ボルトやカップリングのねじ山が潰れることでミキシングシャフトの取付けが不可能になる等の問題があった。
【０００９】
また、前記コレットチャックの方法は、構造が複雑となるため装置がコストアップとなる問題があった。
【００１０】
本発明はこれらの問題点を解消し、頻繁にミキシングシャフトの着脱を必要とする場合のために、ボルトを使わずに簡単に着脱が可能で、ミキシングシャフト脱落の危険性も無く、且つ安価に製造できるような撹拌装置のミキシングシャフトの着脱カップリングを提供することを目的とする。
【課題を解決するための手段】
【００１１】
本発明は上記の目的を達成すべく、撹拌翼と回転軸とからなるミキシングシャフトを回転駆動部に係脱自在に係着する構造の撹拌装置において、前記ミキシングシャフトの根部に側方へ向けて突出する係止突起を突設し、前記回転駆動部に、前記ミキシングシャフトの根部が嵌入可能な軸穴と前記係止突起が挿通移動可能な軸方向スリットとを有するカップリング受け部を形成すると共に、該カップリング受け部の該軸方向のスリットの側方部に前記係止突起が移行係止可能な係止凹部を凹設し、該係止突起の前記係止凹部からの係脱を規制する係脱規制手段を具備し、前記係脱規制手段は、前記カップリング受け部の外周部に摺動可能に嵌挿するスライドカバーと、該スライドカバーの内周部に設けられ前記軸方向スリットに係合する移動可能な規制突起とからなる。
【発明の効果】
【００１２】
本発明によれば、ミキシングシャフトを回転駆動部に係脱自在に係着する構造の撹拌装置において、ミキシングシャフトの回転駆動部への取付け取外しが容易で、ミキシングシャフトが回転駆動部から脱落する危険性がなく、ミキシングシャフトを頻繁に回転駆動部に着脱するのに適した着脱カップリングを安価に提供できる効果を有する。
【図面の簡単な説明】
【００１３】
【図１】本発明のミキシングシャフトの着脱カップリングを使用した撹拌装置の実施例１の外形図である。
【図２】同上実施例１におけるミキシングシャフトの着脱カップリングの一部截断面図である。
【図３】同上着脱カップリングの一部カップリング受け部の側面図である。
【図４】同上着脱カップリングの一部スライドカバーの側面図である。
【図５】同上スライドカバーの図４におけるＢ−Ｂ線截断面図である。
【図６】同上着脱カップリングの図２におけるＡ−Ａ線截断面図である。
【図７】従来のミキシングシャフトの着脱カップリングを使用した撹拌装置の外形図である。
【発明を実施するための形態】
【００１４】
本発明を実施するための形態の実施例を以下に示す。
【実施例１】
【００１５】
図１は本発明のミキシングシャフトの着脱カップリングを使用した撹拌装置の外形図であり、１がミキシングシャフト、２がミキシングシャフト１の着脱カップリングである。
【００１６】
ミキシングシャフト１はその下端部に撹拌翼１ａを固定して有している。
【００１７】
前記着脱カップリング２は、前記ミキシングシャフト１の根部と係合する円筒状のカップリング受け部３と、該カップリング受け部３の外周部に設けた係脱規制手段４とを有している。
【００１８】
尚、５は前記カップリング受け部３を回転駆動する回転駆動部である。
【００１９】
前記着脱カップリング２の構造の詳細を図２及び図３により説明する。
【００２０】
ミキシングシャフト１の根部１ｂは円柱状に形成され、該根部１ｂに貫通孔を形成して該貫通孔にコッタピン１ｃを嵌入固定し、該根部１ｂより突出した該コッタピン１ｃの両端部を係止突起１ｄに形成した。
【００２１】
前記カップリング受け部３は前記根部１ｂが嵌入する軸穴３ａを有する円筒状で、回転駆動部５に垂設されており、その下端部の周壁の両側方に上下方向即ち軸方向スリット３ｂが形成されており、更に該周壁において該軸方向スリット３ｂの途中で横方向に延びる横方向スリットの係止凹部３ｃが形成されている。
【００２２】
前記軸方向スリット３ｂは、前記係止突起１ｄが移動可能な溝幅を有しており、又、前記係止凹部３ｃは前記軸方向スリット３ｂにＴ字状に交差していて前記係止突起１ｄが移行して係合可能に形成されている。
【００２３】
前記カップリング受け部３は上方部の外径が下方部の外径より少し小の段違い部３ｄを有する２段構造に形成されており、該カップリング受け部３の外周部には円筒状のスライドカバー４ａが該カップリング受け部３の外周部に沿って軸方向に摺動可能に嵌着されている。
【００２４】
前記スライドカバー４ａの側面図を図４に、又、同スライドカバー４ａの図４におけるＢ−Ｂ線截断面図を図５に示した。
【００２５】
４は係脱規制手段を示し、該係脱規制手段４は前記スライドカバー４ａと、規制突起４ｂとからなる。
【００２６】
該スライドカバー４ａの内径部は前記カップリング受け部３の外径部に対応した２段構造となっており、この段違い部４ｃにおいて、前記カップリング受け部３の段違い部３ｄと当接して、スライドカバー４ａがカップリング受け部３から抜け出すのを防止するストッパーとして作用している。
【００２７】
又、スライドカバー４の内周部には、前記カップリング受け部３の軸方向スリット３ｂ内を係合しながら移動可能な前記規制突起４ｂが突設されている。
【００２８】
即ち該規制突起４ｂは四角形の立法体状で、ボルト４ｄによってスライドカバー４ａに固定されている。
【００２９】
前記スライドカバー４が前記カップリング受け部３の外周部に沿って上下に摺動するとき、前記規制突起４ｂも前記軸方向スリット３ｂに沿って上下に移動する。
【００３０】
上記各部の相関関係を図６に示した。尚、図６は図２におけるＡ−Ａ線截断面図である。
【００３１】
次に本実施例のミキシングシャフトの着脱カップリング２の使用方法及びその効果等について説明する。
【００３２】
ミキシングシャフト１の根部１ｂをカップリング受け部３に係合させるときは、該根部１ｂが軸穴３ａ内に嵌入していくのに連れて根部１ｂに貫設されているコッタピン１ｃの両端部の係止突起１ｄが前記カップリング受け部３の軸方向スリット３ｂに沿って進み、該軸方向スリット３ｂ内に移動自在に嵌入している前記規制突起４ｂと当接して、該規制突起４ｂを前記スライドカバー４ａと共に上方へ押し上げるように作動する。
【００３３】
かくて、前記係止突起１ｄの頭部が前記軸方向スリット３ｂの中間の側方部にＴ字状に連設されている係止凹部３ｃにまで達したとき、前記ミキシングシャフト１を少許右方へ回転させて、前記係止突起１ｄを前記係止凹部３ｃ内に移行させる。
【００３４】
このように係止突起１ｄが係止凹部３ｃ内に移行した後、前記軸方向スリット３ｂの上方部に押し上げられている前記規制突起４ｂを前記スライドカバー４と共に降下させて、該規制突起４ｂが前記係止凹部３ｃへの開口部を塞ぐ位置で前記軸方向スリット３ｂ内に留まるようにする。
【００３５】
かくて、回転駆動部５によって着脱カップリング２を回転駆動したとき、前記ミキシングシャフト１は緩むことなく着脱カップリング２と共に回転して撹拌を行なうので、シャフト脱落等の危険性がなく安全である。
【００３６】
又、ミキシングシャフト１を着脱カップリング２から取り外す時は、前記スライドカバー４ａを持ち上げてからミキシングシャフト１を左方向に少許回転させて係止突起１ｄを軸方向スリット３ｂ内に移し、然る後にミキシングシャフト１を引き抜けば、容易にミキシングシャフト１を着脱カップリング２から取り外すことができる。
【００３７】
このように本発明の撹拌装置のミキシングシャフトの着脱カップリングはミキシングシャフトの着脱が容易であり、シャフト脱落等の危険性がなく、しかも構造が簡単なので製作コストが安くなる効果を有している。
【産業上の利用可能性】
【００３８】
本発明のミキシングシャフトの着脱カップリングは、特に可搬形撹拌機の如き小形の撹拌装置に利用される。
【符号の説明】
【００３９】
１    ミキシングシャフト
１ｄ  係止突起
２    着脱カップリング
３    カップリング受け部
３ａ  軸穴
３ｂ  軸方向スリット
３ｃ  係止凹部
４    係脱規制手段
４ａ  スライドカバー
４ｂ  規制突起
５    回転駆動部
【図１】
0005637587.tif 000002
【図２】
0005637587.tif 000003
【図３】
0005637587.tif 000004
【図４】
0005637587.tif 000005
【図５】
0005637587.tif 000006
【図６】
0005637587.tif 000007
【図７】
0005637587.tif 000008